(57)【要約】【課題】前扉が開けられた場合に、球がこぼれないようにする。【解決手段】払出機構９が可動枠３に設けられ、球通路構造体２４が上扉１７に設けられた構造の球払出装置において、上扉１７が閉鎖された場合、シャッター操作部２６がレバー部３０を押し、シャッター部３１が球出口部１０を球の通過可能に開放し、上扉１７が開放されるのに伴い、シャッター操作部２６が前方に移動し、シャッター部３１がばね３３のばね力で球出口部１０を球の通過不可能に閉鎖する一方、上扉１７が検出器釦２０から前方に離れ、払出制御装置４３がモータ４０を停止して、上扉１７が可動枠３から前方に開けられときに、払出機構９が駆動中であったりまたは駆動を開始したりした場合でも、払出機構９による払い出しが停止し、球が払出機構９の球出口部１０と球通路構造体２４の球入口部２５との間からこぼれない。シャッター部３１を電磁ソレノイドで開閉してもよい。【選択図】図１
2009077855.tif 000002
【特許請求の範囲】
【請求項１】
可動枠と、可動枠の後部に設けられた払出機構と、払出機構から払い出された球を可動枠の前方に導出するように可動枠に設けられた球出口部と、可動枠の前部に開閉可能に装着された前扉と、前扉に設けられた球通路構造体と、球通路構造体から払い出された球を受け取るように前扉の前部に設けられた受皿と、球出口部から払い出された球を球通路構造体に導入するように前扉に設けられた球入口部と、球出口部を開閉するように球出口部に設けられたシャッター機構と、前扉の閉鎖に伴いシャッター機構を開放させ前扉の開放に伴いシャッター機構を閉鎖させるように前扉に設けられたシャッター操作部と、前扉の開けられたことを検出するように可動枠に設けられた扉開放検出器と、扉開放検出器からの扉開放信号の入力に伴い払出機構を停止し当該扉開放信号の入力停止に伴い払出機構を動作可能とする払出制御装置とを備えたことを特徴とする遊技機の球払出装置。
【請求項２】
可動枠と、可動枠の後部に設けられた払出機構と、払出機構から払い出された球を可動枠の前方に導出するように可動枠に設けられた球出口部と、可動枠の前部に開閉可能に装着された前扉と、前扉の前部に設けられた球通路構造体と、球通路構造体から払い出された球を受け取るように前扉の前部に設けられた受皿と、球出口部から払い出された球を球通路構造体に導入するように前扉に設けられた球入口部と、球出口部を開閉するように球入口部に設けられたシャッター機構と、前扉の開けられたことを検出するように可動枠に設けられた扉開放検出器と、扉開放検出器からの扉開放信号の入力に伴い払出機構を停止するとともにシャッター機構を閉鎖させ当該扉開放信号の入力停止に伴い払出機構を動作可能とするとともにシャッター機構を開放する払出制御装置とを備えたことを特徴とする遊技機の球払出装置。
【発明の詳細な説明】
【技術分野】
【０００１】
本発明は、払出機構が可動枠に設けられ、球通路構造体が前扉に設けられた遊技機の球払出装置において、前扉が開けられた場合に、球がこぼれないようにする遊技機の球払出装置に関する。
【背景技術】
【０００２】
パチンコ遊技機などのパチンコ球と呼ばれる球を遊技媒体として使用する遊技機の球払出装置には、特許文献１で開示されたように、払出機構から受皿に払い出される球が遊技機枠の前側から見えるように、球通路が遊技機枠の前部に設けられたものが公知である。しかしながら、払出機構が遊技盤の取り付けられる可動枠に設けられ、球通路が可動枠の前部に開閉可能に装着された前扉に設けられているので、前扉が開けられると、払出機構と球通路とが互いに分離される。よって、例えば、遊技盤上で球詰まりなどのトラブルが発生したことから、遊技店の店員が上記トラブルを解決しようとして前扉を開けたときに、払出機構が駆動中であったりまたは駆動を開始したりした場合、払出機構から払い出された球が店内にこぼれるという欠点がある。
【特許文献１】特開２００４−１８７９４７号公報
【発明の開示】
【発明が解決しようとする課題】
【０００３】
発明が解決しようとする問題点は、前扉が開けられたとき、払出機構が駆動中であったりまたは駆動を開始したりした場合、払出機構から球がこぼれるという点である。
【課題を解決するための手段】
【０００４】
本発明に係る遊技機の球払出装置は、可動枠と、可動枠の後部に設けられた払出機構と、払出機構から払い出された球を可動枠の前方に導出するように可動枠に設けられた球出口部と、可動枠の前部に開閉可能に装着された前扉と、前扉の前部に設けられた球通路構造体と、球通路構造体から払い出された球を受け取るように前扉の前部に設けられた受皿と、球出口部から払い出された球を球通路構造体に導入するように前扉に設けられた球入口部と、球出口部を開閉するように球出口部に設けられたシャッター機構と、前扉の閉鎖に伴いシャッター機構を開放させ前扉の開放に伴いシャッター機構を閉鎖させるように前扉に設けられたシャッター操作部と、前扉の開けられたことを検出するように可動枠に設けられた扉開放検出器と、扉開放検出器からの扉開放信号の入力に伴い払出機構を停止し当該扉開放信号の入力停止に伴い払出機構を動作可能とする払出制御装置とを備えるか、または、前扉にシャッター操作部を設けることなく、払出制御装置が扉開放信号の入力に伴いシャッター機構を閉鎖させ当該扉開放信号の入力停止に伴いシャッター機構を開放することを最も主要な特徴とする。
【発明の効果】
【０００５】
本発明に係る遊技機の球払出装置は、上扉が閉鎖されると、払出機構が動作可能となり、シャッター機構が球出口部を開放し、球が払出機構から払い出された場合、当該球が受皿に払い出される一方、上扉が開放されると、払出機構が停止し、シャッター機構が球出口部を閉鎖し、球が球出口部と球入口部との間からこぼれないという利点がある。
【発明を実施するための最良の形態】
【０００６】
図１は、遊技機の上扉１７が開けられた球払出装置を示す。図２は、遊技機の上扉１７が可動枠３に開閉不能に支持された球払出装置を示す。図３は、パチンコ遊技機の遊技機枠１を示す。本明細書における「前」、「後」、「左」、「右」、「上」、「下」の方向は、図３の状態に遊技機枠１を置いて矢印Ｓで示す前側から見た場合に特定される方向である。
【０００７】
図３を参照し、パチンコ遊技機を例として遊技機の球払出装置について説明する。パチンコ遊技機は、遊技機枠１の内部に図外の遊技盤を交換可能に取り付ける形態である。遊技機枠１は、固定枠２の前部に可動枠３を開閉可能に備える。固定枠２は、遊技機設置設備に固定される。遊技機設置設備は、パチンコ遊技機を設置する遊技店の島と呼ばれる設備である。可動枠３は、遊技盤や図外の制御装置など遊技に必要な部品を取り付ける前枠とも呼ばれ、左側に位置するヒンジ４を中心とし、固定枠２の前で前方に開かれかつ後方に閉じられるように、片開き可能である。
【０００８】
可動枠３には、盤収容室５、中央開口部６、施錠装置７、タンク８、払出機構９、球出口部１０、扉開放検出器１１、貫通孔１２、ロックレバー１３；１４、解除操作機構１５、発射機構１６、上扉１７、下扉１８などが設けられる。可動枠３が閉じられるとロックレバー１４で固定枠２に開閉不能に支持される。タンク８および払出機構９は、可動枠３の後部に取り付けられる。球出口部１０は、払出機構９から払い出された球を可動枠３の前方に導出する通路であって、上扉１７が可動枠３に開閉不能に支持された場合には上扉１７の側の球入口部２５に連結され、上扉１７が開けられた場合には球入口部２５から分離される。球出口部１０には、シャッター機構１９が設けられる。シャッター機構１９は、球出口部１０を開閉する機構である。シャッター機構１９が球出口部１０を開放すると、球が球出口部１０から球入口部２５の側に通過可能になる。シャッター機構１９が球出口部１０を閉鎖すると、球が球出口部１０から球入口部２５の側に通過不可能になる。扉開放検出器１１は、上扉１７が可動枠３に開閉不能に支持された場合に電気的にオフ動作し、上扉１７が開けられた場合に電気的にオン動作する。扉開放検出器１１の検出器釦２０は、可動枠３の後部から貫通孔１２を経由して可動枠３の前方に突出する。球出口部１０は、払出機構９または可動枠３に取り付けられる。
【０００９】
上扉１７は、可動枠３の前部に開閉可能に設けられ、左側に位置するヒンジ２１を中心とし、可動枠３の前で前方に開かれかつ後方に閉じられるように、片開き可能である。上扉１７が閉じられるとロックレバー１３で可動枠３に開閉不能に支持される。上扉１７には、窓２２、窓パネル２３、球通路構造体２４、球入口部２５、シャッター操作部２６などが設けられる。球入口部２５は、球出口部１０から払い出された球を球通路構造体２４に導入するように球通路構造体２４または上扉１７に取り付けられる。シャッター操作部２６は、上扉１７が閉じられる場合、シャッター機構１９のレバー部３０（図２）を後方に押す。
【００１０】
下扉１８は、可動枠３の前部に開閉可能に設けられ、左側に位置するヒンジ２７を中心とし、可動枠３の前で前方に開かれかつ後方に閉じられるように、片開き可能である。下扉１８が閉じられると図外のロックレバーで可動枠３に開閉不能に支持される。下扉１８の前部には、受皿２８、発射操作機構２９などが設けられる。上扉１７および下扉１８は、前扉として一体に構成されてもよい。上扉１７が閉鎖された場合、球出口部１０と球入口部２５とが互いに前後方向に嵌り合う形態でもよい。
【００１１】
可動枠３が固定枠２に開閉不能に支持され、上扉１７および下扉１８が可動枠３に開閉不能に支持された状態において、遊技店のキープレート（鍵）を施錠装置７の鍵穴に挿入し、当該キープレートを例えば右側に９０度回転操作すると、固定枠２と可動枠３とのロックレバー１４による支持形態が解除される。この支持形態の解除後に、遊技店の店員が可動枠３を前方に引くことによって、可動枠３はヒンジ４を中心として前方に片開きされる。
【００１２】
前記施錠装置７の鍵穴に挿入されたキープレートが例えば左側に９０度回転操作されると、可動枠３と上扉１７とのロックレバー１３による支持形態が解除される。この支持形態の解除後に、遊技店の店員が上扉１７を前方に引くことによって、上扉１７はヒンジ２１を中心として前方に片開きされる。上扉１７が片開きされた状態において、遊技店の店員が解除操作機構１５を操作すると、可動枠３と下扉１８との図外のロックレバーによる支持形態が解除される。この支持形態の解除後に、遊技店の店員が下扉１８を前方に引くことによって、下扉１８はヒンジ２７を中心として前方に片開きされる。解除操作機構１５は、上扉１７が可動枠３に開閉不能に支持された場合、操作不能になるように、上扉１７で覆い隠される。
【００１３】
パチンコ遊技の一例について説明する。図外の遊技盤が盤収容室５に装着され、可動枠３が閉じられて固定枠２に開閉不能に支持され、上扉１７および下扉１８が閉じられて可動枠３に開閉不能に支持され、払出機構９が停止し、遊技機枠１の設置された図外の遊技機設置構造体の補給機構から排出されたパチンコ球と呼ばれる球がタンク８に上方から貯蔵される。その状態において、遊技者が受皿２８にパチンコ球と呼ばれる球を入れ、遊技者が発射操作機構２９を操作するのに伴い、発射機構１６が発射操作機構２９の操作量に応じた発射力で駆動し、発射機構１６が受皿２８から遊技機枠１の内部に取り込まれた球を１個ずつ遊技盤の前面と窓パネル２３との間の遊技領域の上部に向けて発射する。遊技領域の上部に到達した球が、遊技領域を流下する過程において、図外の入賞部品に入賞するごとに、払出機構９が駆動し、球がタンク８から払出機構９を経由して球出口部１０に払い出される。この球出口部１０に払い出された球は、球出口部１０から球入口部２５、球通路構造体２４の内部を経由して受皿２８に払い出される。
【００１４】
図１および図２を参照し、遊技機の球払出装置の動作について説明する。図２に示すように、シャッター機構１９は、レバー部３０とシャッター部３１とを互いに繋ぐ連接部がシャッター軸３２を中心として回転し得るように球出口部１０の上に取り付けられ、シャッター部３１が蔓巻ばねまたは渦巻きばねなどのばね３３によって球出口部１０の側に付勢される。球出口部１０の上部には、逃避孔部３４がシャッター部３１を球出口部１０の内部と外部とに通過させるように設けられる。タンク８には、球を貯蔵する貯蔵室３５が設けられる。払出機構９の払出体３６は、貯蔵室３５の底部に配置され、払出軸３７と螺旋体３８とからなる螺旋構造体として構成される。螺旋体３８は、払出軸３７の軸心３９と平行な方向に球を１個ずつ分離する間隔で払出軸３７の外周面から径方向外側に螺旋形状に突出する。払出体３６のタンク８から外側に突出した端部には、タンク８に取り付けられたモータ４０の駆動軸４１が連結される。球出口部１０には、球検出器４２が設けられる。球検出器４２は、検出孔を通過する球を検出した検出信号を払出制御装置４３に出力する。扉開放検出器１１とモータ４０および球検出器４２が、可動枠３の後部に取り付けられた払出制御装置４３に接続される。
【００１５】
そして、上扉１７が閉鎖されて可動枠３に開閉不能に支持されるのに伴い、球出口部１０と球入口部２５とが互いに連結され、上扉１７が検出器釦２０を押し、扉開放検出器１１がオフ動作し、払出制御装置４３は上扉１７が可動枠３に開閉不能に支持されていると電気的に判定して払出機構９に対し動作可能となるような処理を行い、シャッター操作部２６がレバー部３０をばね３３のばね力に抗して後方に押し、シャッター部３１がシャッター軸３２を中心として球出口部１０を球の通過し得るように開放する。その後、入賞部品への入賞に伴い図外の主制御装置などの遊技制御装置から払出制御装置４３に賞球を払い出す指示が入力されると、払出制御装置４３が払出機構９のモータ４０を駆動し、払出体３６が軸心３９を中心として軸心３９の円周の一方向に回転し、螺旋体３８が貯蔵室３５の底部と払出軸３７と螺旋体３８とで形成された隙間に１個ずつ分離しつつ取り込まれた球を球出口部１０に移動し、球が矢印Ｘ１で示すようにタンク８から球出口部１０と球入口部２５および球通路構造体２４の内部を経由して受皿２８（図３参照）に払い出される。払出制御装置４３は、球検出器４２から入力された検出信号を計数し、計数値が遊技制御装置からの指示に対応する賞球払出数になると、モータ４０を停止し、払出機構９による球の払い出しが停止する。
【００１６】
図１に示すように、上扉１７が可動枠３から矢印Ｘ２で示すように前方に開放されるのに伴い、シャッター操作部２６が前方に移動し、レバー部３０がばね３３のばね力によってシャッター軸３２を中心として前方に移動し、シャッター部３１がシャッター軸３２を中心として球出口部１０を球の通過不可能に閉鎖する一方、上扉１７が検出器釦２０から前方に離れ、扉開放検出器１１がオン動作して扉開放信号を払出制御装置４３に出力すると、払出制御装置４３は上扉１７が開けられたと電気的に判定してモータ４０を停止する処理を実行する。この処理によって、上扉１７が可動枠３から前方に開けられたときに、払出機構９のモータ４０が駆動中であったりまたは駆動を開始したりした場合でも、モータ４０が停止し、払出機構９による払い出しが停止する。よって、球が払出機構９の球出口部１０と球通路構造体２４の球入口部２５との間からこぼれないという利点がある。
【００１７】
上扉１７が検出器釦２０から前方に離れ、扉開放検出器１１がオン動作した場合でも、シャッター部３１がシャッター軸３２を中心として球出口部１０を球の通過不可能に閉鎖するので、上扉１７の開放に伴いモータ４０の停止する直前に球出口部１０に払い出された球が球出口部１０と球入口部２５との間からこぼれないという利点がある。
【産業上の利用可能性】
【００１８】
図４乃至図６は、発明を実施するための異なる形態を示す。図４は、シャッター機構１９を示す。図５は、遊技機の上扉１７が閉鎖された球払出装置を示す。図６は、遊技機の上扉１７が開放された球払出装置を示す。
【００１９】
図４では、シャッター機構１９が電気的に動作する構造が、最良の形態と異なる。球出口部１０の下部には、電磁ソレノイド４４が設けられる。電磁ソレノイド４４のプランジャ４５にはリンクプレート４６の一端部が連結体４７で連結される。連結体４７は球出口部１０の下部に設けられたカバー４８に形成された逃避孔４９を経由してカバー４８の内外に突出する。リンクプレート４６の他端部には、シャッター軸３２が固定される。シャッター軸３２には、シャッター部３１が固定される。電磁ソレノイド４４は、単動形または複動形の何れでもよいが、単動形を例とする。電磁ソレノイド４４への電力供給が停止すると、プランジャ４５が図外のばねのばね力によって前方に移動し、リンクプレート４６がシャッター軸３２を中心として前方に回転し、シャッター部３１がシャッター軸３２を中心として球出口部１０を球の通過し得るように開放する。
【００２０】
図４および図５を参照し、遊技機の球払出装置の動作について説明する。図５に示すように、上扉１７には図１乃至図３のシャッター操作部２６が設けられていない。そして、上扉１７が閉鎖されて可動枠３に開閉不能に支持されるのに伴い、球出口部１０と球入口部２５とが互いに連結され、上扉１７が検出器釦２０を押し、扉開放検出器１１がオフ動作し、払出制御装置４３は上扉１７が可動枠３に開閉不能に支持されていると電気的に判定して払出機構９に対し動作可能となるような処理を行うとともに電磁ソレノイド４４への電力供給を停止し、シャッター部３１が球出口部１０を球の通過し得るように開放する。その後、入賞部品への入賞に伴い図外の主制御装置などの遊技制御装置から払出制御装置４３に賞球を払い出す指示が入力されると、払出制御装置４３が払出機構９のモータ４０を駆動し、球が矢印Ｘ１で示すようにタンク８から球出口部１０と球入口部２５および球通路構造体２４の内部を経由して受皿２８（図３参照）に払い出される。
【００２１】
図６に示すように、上扉１７が可動枠３から矢印Ｘ２で示すように前方に開放されるのに伴い、上扉１７が検出器釦２０から前方に離れ、扉開放検出器１１がオン動作して扉開放信号を払出制御装置４３に出力すると、払出制御装置４３は上扉１７が開けられたと電気的に判定してモータ４０を停止する処理を実行する。この処理によって、上扉１７が可動枠３から前方に開けられたときに、払出機構９のモータ４０が駆動中であったりまたは駆動を開始したりした場合でも、モータ４０が停止し、払出機構９による払い出しが停止するとともに、電磁ソレノイド４４に電力を供給し、プランジャ４５が図外のばねのばね力に抗して後方に移動し、リンクプレート４６がシャッター軸３２を中心として後方に回転し、シャッター部３１がシャッター軸３２を中心として球出口部１０を球の通過不可能に閉鎖し、球が球出口部１０と球入口部２５との間からこぼれないという利点がある。
【図面の簡単な説明】
【００２２】
【図１】上扉が開けられた球払出装置の側面的な模式図（最良の形態）。
【図２】上扉が閉じられた球払出装置の側面的な模式図（最良の形態）。
【図３】パチンコ遊技機の遊技機枠の斜視図（最良の形態）。
【図４】シャッター機構の斜視図（異なる形態）。
【図５】上扉が閉じられた球払出装置の側面的な模式図（異なる形態）。
【図６】上扉が開けられた球払出装置の側面的な模式図（異なる形態）。
【符号の説明】
【００２３】
１は遊技機枠、２は固定枠、３は可動枠、４はヒンジ、５は盤収容室、６は中央開口部、７は施錠装置、８はタンク、９は払出機構、１０は球出口部、１１は扉開放検出器、１２は貫通孔、１３；１４はロックレバー、１５は解除操作機構、１６は発射機構、１７は上扉、１８は下扉、１９はシャッター機構、２０は検出器釦、２１はヒンジ、２２は窓、２３は窓パネル、２４は球通路構造体、２５は球入口部、２６はシャッター操作部、２７はヒンジ、２８は受皿、２９は発射操作機構、３０はレバー部、３１はシャッター部、３２はシャッター軸、３３はばね、３４は逃避孔部、３５は貯蔵室、３６は払出体、３７は払出軸、３８は螺旋体、３９は軸心、４０はモータ、４１は駆動軸、４２は球検出器、４３は払出制御装置、４４は電磁ソレノイド、４５はプランジャ、４６はリンクプレート、４７は連結体、４８はカバー、４９は逃避孔。
【図１】
2009077855.tif 000003
【図２】
2009077855.tif 000004
【図３】
2009077855.tif 000005
【図４】
2009077855.tif 000006
【図５】
2009077855.tif 000007
【図６】
2009077855.tif 000008